(57)【要約】【課題】  動脈の拍動による影響を防止して、血圧を正確に測定可能な血圧測定装置を提供する。【解決手段】  血圧測定装置１は、上腕Ａに装着されるカフ帯２と、カフ帯２に空気がされた際に空気圧を検出する圧力センサを備えている。  上記カフ帯２は、空気が供給されると動脈を閉塞させる測定カフ８と、この測定カフ８の両隣の２つの空間部からなる加圧カフ７と、さらに、一対のリブ１３Ａを加圧カフ７と測定カフ８の境界部であるシール部Ｓに当接させた板状部材１３と、膨張した際に上記板状部材１３のリブ１３Ａを動脈に向けて押圧する補助カフ９とを備えている。  加圧カフ７に動脈の拍動が伝達されても、上記シール部Ｓが存在するので加圧カフ７から測定カフ８へ拍動が伝達されるのを防止することができる。【選択図】  図２
2006334153.tif 000002
【特許請求の範囲】
【請求項１】
腕又は足に装着されて空気が供給されると膨張して血管を阻血するカフ帯と、上記カフ帯内の空気圧を検出する圧力センサとを備え、上記カフ帯は、空気が供給された際に膨張して血管を圧迫して阻血する加圧カフと、空気が供給された際に膨張して血管を圧迫して阻血するとともに上記圧力センサによって空気圧を検出される測定カフとを備え、上記圧力センサによる空気圧の検出結果を基にして血圧を測定するようにした血圧測定装置において、
上記測定カフを上方側から覆うように配置されて、上記加圧カフと測定カフとの境界部に当接するリブを有する板状部材を設け、
また空気を供給されると膨張して上記板状部材のリブを血管に向けて押圧する補助カフを設けたことを特徴とする血圧測定装置。
【請求項２】
上記カフ帯は密封した偏平な袋状の本体部を備えており、この本体部の内部を長手方向に伸びる枠状のシール部によって幅方向における３つの空間部に区分して、幅方向における中央位置の空間部を上記測定カフとするとともに、この測定カフを挟んで相互に連通する残りの２つの空間部によって上記加圧カフを構成し、
また、上記板状部材は長手方向に沿った両側に上記リブを備えており、この板状部材の一対のリブを上記加圧カフと測定カフの境界となる上記シール部に当接させたことを特徴とする請求項１に記載の血圧測定装置。
【請求項３】
上記測定カフと空気の供給源とを連通させる導管に上記圧力センサを設けるとともに、圧力センサよりも上流側となる導管に電磁開閉弁を設け、さらに上記電磁開閉弁よりも下流側となる導管に排気弁を設けて、測定カフ内の空気圧が所定圧以上となると上記電磁開閉弁を閉鎖してから排気弁を介して測定カフ内の空気を排気することにより、血圧を測定できるようにしたことを特徴とする請求項１または請求項２に記載の血圧測定装置。
【請求項４】
上記圧力センサと電磁開閉弁は、カフ帯に隣接して配置されていることを特徴とする請求項３に記載の血圧測定装置。
【発明の詳細な説明】
【技術分野】
【０００１】
本発明は血圧測定装置に関し、より詳しくは、オシロメトリック方式の血圧測定装置の改良に関する。
【背景技術】
【０００２】
従来、オシロメトリックス方式の血圧測定装置として、腕又は足に装着されて空気が供給されると膨張して血管を阻血するカフ帯と、上記カフ帯内の空気圧を検出する圧力センサとを備え、上記カフ帯は、空気が供給された際に膨張して血管を圧迫して阻血する加圧カフと、空気が供給された際に膨張して血管を圧迫して阻血するとともに上記圧力センサによって空気圧を検出する測定カフとを備え、上記圧力センサによる空気圧の検出結果を基にして血圧を測定するようにしたものは知られている。
こうした従来の血圧測定装置においては、先ず上記カフ帯を上腕に装着し、その後にカフ帯へポンプから空気を供給してカフ帯を膨張させる。このようにカフ帯が空気によって膨張することにより、上腕の動脈が閉塞される（阻血される）。その後に、カフ帯内の空気を徐々に排出させることによりカフ内の空気の圧力を徐々に低下させると、それまで閉塞されていた動脈に血液が流通するようになる。そして、この後のカフ帯を装着した箇所における動脈の脈波振幅の変動を基にして血圧を測定するようになっている。
【特許文献１】特開昭６３−１５００５１号公報
【特許文献２】特開２０００−７９１０１号公報
【特許文献３】特開２００４―１２１８０６号公報
【特許文献４】特開２００４―２５４７１７号公報
【発明の開示】
【発明が解決しようとする課題】
【０００３】
ところで、従来一般的な血圧測定装置においては、単一のカフ帯で加圧と測定の両方を行っていたため、例えば下肢にカフ帯を装着して血圧を測定する場合にはカフ中央からその上流部分にかけて阻血することができないため、カフ帯の上流側の拍動がカフ帯へ伝達されて正確な血圧測定を行うことができなかった。
そこで、このような拍動による影響を防止するために加圧カフと測定カフとを各々別の袋によって構成したカフ帯の血圧測定装置が提案されている（例えば特許文献１〜４）。
しかしながら、このような従来の血圧測定装置であっても、それぞれ次のような問題点が指摘されていたものである。
すなわち、特許文献１の血圧測定装置においては、例えば足にカフ帯を装着するような場合にはカフ帯による押圧領域の圧力分布が一様にならず、正確な血圧測定が困難であった。
また、特許文献２の血圧測定装置においては、加圧カフから圧力センサへの拍動の影響を防止するために緩衝材を配置しているが、測定カフへの拍動による影響を完全に防止できないという欠点があった。
さらに、特許文献３の血圧測定装置においても、上流側の拍動が加圧カフに伝わり、さらに測定カフへ伝播して影響を与えることを排除することができず、しかも圧力センサによる検出圧力から拍動による影響を排除する演算を行う必要があるので、そのような演算処理が煩雑であった。
さらに、特許文献４の血圧測定装置においては、加圧カフと測定カフとが連通しているので、拍動が加圧カフを介して測定カフへ伝達されて正確な血圧測定が困難であった。
【課題を解決するための手段】
【０００４】
上述した事情に鑑み、本発明は、腕又は足に装着されて空気が供給されると膨張して血管を阻血するカフ帯と、上記カフ帯内の空気圧を検出する圧力センサとを備え、上記カフ帯は、空気が供給された際に膨張して血管を圧迫して阻血する加圧カフと、空気が供給された際に膨張して血管を圧迫して阻血するとともに上記圧力センサによって空気圧を検出される測定カフとを備え、上記圧力センサによる空気圧の検出結果を基にして血圧を測定するようにした血圧測定装置において、
上記測定カフを上方側から覆うように配置されて、上記加圧カフと測定カフとの境界部に当接するリブを有する板状部材を設け、また空気を供給されると膨張して上記板状部材のリブを血管に向けて押圧する補助カフを設けたものである。
【発明の効果】
【０００５】
このような構成によれば、上記板状部材のリブが加圧カフと測定カフとの境界部に位置しており、しかも上記補助カフが膨張することで板状部材のリブは血管に向けて押圧されるようになっている。そのため、加圧カフに上流側の拍動が伝達されても、加圧カフから測定カフへ拍動が伝達されるのを防止することができる。また、上記リブによって上記両カフの境界部を押圧するとともに、膨張した測定カフは板状部材に当接することにより、カフ帯によって押圧する時の圧力分布を一様にすることができる。
したがって、拍動による影響を防止して血圧を正確に測定することが可能な血圧測定装置を提供することができる。
【発明を実施するための最良の形態】
【０００６】
以下図示実施例について本発明を説明すると、図１ないし図２において、１は血圧を測定する血圧測定装置である。本実施例の血圧測定装置１は、上腕または足首に装着される装着手段としてのカフ帯２と、所要時に導管３を介して上記カフ帯２へ空気を給送するポンプ４と、上記ポンプ４および導管３に設けた電磁開閉弁５他の作動を制御する制御装置６とを備えている。
後に詳述するが、血圧測定装置１によって血圧を測定する場合には、先ず従来と同様に、膨張させる前のカフ帯２を上腕Ａに巻き付けて装着し、その後に上記ポンプ４から導管３を介してカフ帯２の加圧カフ７と測定カフ８および補助カフ９内に空気を給送する（図２参照）。これにより、カフ帯２の各カフ７〜９が膨張して上腕Ａの動脈が圧迫されて閉塞される（阻血される）ようになっている。
この状態からカフ帯２の各カフ７〜９の空気を徐々に排気させるので、カフ帯２の各カフ７〜９内の空気圧が徐々に低下する。これに伴って、それまで両カフ７，８によって閉塞されていた前腕Ａの動脈が血圧によって開放されて該動脈内を血液が流通し始め、それに伴う動脈内の脈波振幅の変動を圧力センサ１０による測定カフ８内の検出圧力の変動によって検出し、この圧力センサ１０による検出結果を基にして制御装置６は最高血圧と平均血圧および最低血圧を演算し、それらを表示部６Ａに表示するようになっている。
このような本実施例の血圧測定装置１による血圧の測定技術は、従来公知のオシロメトリック方式の血圧測定装置と同じである。
【０００７】
しかして、本実施例は、装着手段としてのカフ帯２とその関連部分を以下のように改良することで、上流側の拍動による血圧測定への影響を防止して正確な血圧測定ができるようにしたものである。
すなわち、図２〜図３に示すように、本実施例のカフ帯２は、偏平な扇形の袋状に形成されて加圧カフ７と測定カフ８とを隣接させて形成した本体部１１と、この本体部１１における各カフ７，８の上面に重合するように配置した可撓性を有する板状部材１２〜１４と、測定カフ８を覆った板状部材１３上に重合するように配置された袋状の補助カフ９とそれに重合させた板状部材１５とを有する補助部１６と、上記本体部１１と各板状部材１２〜１４および補助部１６を覆って設けた偏平な袋状のカバー１７とを備えている。
図示しないが、このカバー１７の所要箇所には着脱自在な１組のマジックテープ（登録商標）を取り付けてあり、カフ帯２を人の上腕Ａに巻き付けて装着した際に上記カバー１７に設けた一組のマジックテープ（登録商標）を合わせることにより、カフ帯２の上腕Ａへの装着状態を維持できるようになっている。
【０００８】
本実施例においては、塩ビまたはポリウレタンシートによって密封した偏平な袋を作成して、その袋によって上記本体部１１を構成してあり、さらに図２〜図４に示すように上記袋からなる本体部１１の所要箇所を連続する枠状にシールすることでその内部空間を区分して、加圧カフ７と測定カフ８を形成するようにしている。
より詳細には、本体部１１となる袋の幅方向中央側の領域を細長い枠状にシールすることにより、この枠状のシール部分Ｓの内部空間を測定カフ８としている。また、このようにして測定カフ８を形成したことに伴って、測定カフ８における長手方向に沿った両隣の位置に一対の空間部１１Ａ，１１Ｂが形成されており、本実施例では、これら相互に連通する一対の空間部１１Ａ、１１Ｂによって加圧カフ７を構成している。
このように、本実施例においては、一体物としての袋からなる本体部１１の内部空間を枠状のシール部Ｓによって区分することで、上記加圧カフ７と測定カフ８を形成してあり、かつ、測定カフ８は、その両隣位置の一対の空間部１１Ａ、１１Ｂからなる加圧カフ７によって挟み込まれるように配置されている。
測定カフ８の長手方向における中央の上面に導入口８Ａを設けてあり、この導入口８Ａに導管３から分岐させた第１分岐管１８を接続している（図１参照）。また、空間部１１Ｂ側となる加圧カフ７における上面にも導入口７Ａを形成してあり、この導入口７Ａに導管３から分岐させた第２分岐管１９を接続している。
上記導管３と第１分岐管１８を介してポンプ４から測定カフ８に空気を導入することで測定カフ８を膨張させるようになっており、また、導管３と第２分岐管１９を介してポンプ４から加圧カフ７に空気を導入することで両空間部１１Ａ，１１Ｂからなる加圧カフ７を膨張させるようになっている。
【０００９】
本実施例のカフ帯２は、該カフ帯２を上腕Ａに巻き付けて装着した際に、両カフ７，８の長手方向が上腕Ａの動脈における血液の流通方向に対して略直交するようになっている。また、加圧カフ７における容積が大きい方の空間部１１Ａを動脈における測定カフ８よりも上流側に位置させ、加圧カフ７における容積が小さい方向の空間部１１Ｂを測定カフ８よりも下流側に位置させて、カフ帯２を人体の上腕Ａに装着するようになっている（図２、図４参照）。
このように、本実施例においては、測定カフ８を挟んでその隣接上流側と下流側に加圧カフ７を配置することになり、測定カフ８によって血圧を測定する際に測定箇所である測定カフ８に、上流側動脈の拍動による影響を防止できるようになっている。なお、本実施例においては、相互に連通する両空間部１１Ａ、１１Ｂによって加圧カフ７を構成しているが、下流側の空間部１１Ｂは省略しても良い。
【００１０】
さらに、図１に示すように、上記第１分岐管１８には、制御装置６によって作動を制御される電磁開閉弁５を設けてあり、また、電磁開閉弁５よりも下流側となる第１分岐管１８に定速排気弁２１を設けてあり、さらにその位置よりも下流側となり測定カフ８に近い位置の第１分岐管１８に圧力センサ１０を設けている。
電磁開閉弁５を開放した状態で制御装置６によってポンプ４を作動させると、ポンプ４から導管３と第１分岐管１８を介して測定カフ８に空気を供給することができ、それによって測定カフ８が所要の空気圧まで昇圧されて膨張されるようになっている。また、その際の測定カフ８内の空気圧は第１分岐管１８に設けた圧力センサ１０によって検出されて、制御装置６の信号増幅器６Ｂへ伝達されるようになっている。
また、この後、制御装置６によって電磁開閉弁５を閉鎖させることで、ポンプ４から測定カフ８への空気の給送を停止させることができ、その後から制御装置６によって定速排気弁２１を作動させることにより、測定カフ８内の空気が第１分岐管１８と定速排気弁２１を介して所要の定速度で排気されるようになっている。そして、その際の測定カフ８の空気圧は圧力センサ１０によって検出されて、制御装置６の信号増幅器６Ｂに入力されるようになっている。信号増幅器６Ｂに入力された圧力の検出信号は、Ａ／Ｄ変換器６Ｃによってデジタル信号に変換されてから演算部６Ｄに伝達されるようになっている。そして、制御装置６の排気弁制御部６Ｅは、演算部６Ｄに伝達された測定カフ８内の圧力信号を基にして、上記定速排気弁２１の作動を制御して所要の定速（例えば２〜３ｍｍＨｇ／Ｓ）で定速排気弁２１を介して測定カフ８から空気が排気されるように制御するようになっている。
【００１１】
第１分岐管１８の接続位置よりも上流側となる導管３の途中には、圧力センサ２２を設けてあり、また、それよりも上流側の導管３の途中に定速排気弁２３と急速排気弁２４を設けている。
また、導管３はそれから分岐させた第３分岐管２５を介して補助カフ９内部に連通させている。つまり、導管３と両分岐管１９，２５を介して補助カフ９と加圧カフ７が連通している。
そのため、上述したように制御装置６がポンプ６を作動させると空気が導管３と両分岐管１９，２５を介して加圧カフ７、補助カフ９内にも給送されて、それら両カフ７、９が膨張されるようになっている。そして、その際の両カフ７、９内の空気圧は圧力センサ２２によって検出されて、制御装置６の信号増幅器６Ｂへ入力されるようになっている。圧力センサ２２から信号増幅器６Ｂに入力された圧力信号はＡ／Ｄ変換器６Ｃによってデジタル信号に変換されてから演算部６Ｄへ伝達されるようになっている。
制御装置６は、圧力センサ２２によって検出した両カフ７、９の空気圧が所要の圧力まで上昇したことを確認すると、ポンプ４の作動を停止させる一方、定速排気弁２３の作動を制御して、両カフ７，９内の空気を両分岐管１９，２５と導管３および定速排気弁２３を介して所要の定速で排出させるようになっている。また、この後、所要時に制御装置６は急速排気弁２４を開放させて、両カフ７，９内の空気を急速排気弁２４を介して迅速に排出させるようになっている。
【００１２】
本実施例においては、上述したようにして、本体部１１と補助部１６の各カフ７〜９へ空気を給送して膨張させるわけであるが、本実施例においては、カフ帯２を上腕Ａに装着する際に該カフ帯２を容易に取り付けやすくするために、両空間部１１Ａ，１１Ｂの上面となる箇所に上記板状部材１２、１４を配置している（図２、図３参照）。両板状部材１２、１４は全域にわたって同じ肉厚の平板を丸めた形状に形成してあり、板状部材１２の大きさは、上記空間部１１Ａの投影面積よりも少し小さな寸法に設定してあり、また、板状部材１４の大きさも空間部１１Ｂの投影面積よりも少し小さな寸法に設定している。
さらに、両空間部１１Ａ、１１Ｂによって挟まれた位置にある測定カフ８の上面は板状部材１３によって上方側から覆っている。
図２ないし図３に示すように、この板状部材１３は、長手方向に伸びる両側部の全域にわたって同一寸法のリブ１３Ａを下方に向けて突出させて形成してあり、この両側部の一対のリブ１３Ａを上記測定カフ８を区分したシール部Ｓに上方側から当接させている。
本実施例の板状部材１３は、平板状の押圧部１３Ｂとその長手方向の両側部に形成した一対のリブ１３Ａとを備えており、したがって板状部材１３の断面は概略コ字形となっている。なお、両リブ１３Ａには、所定間隔ごとに複数の切欠き部１３Ｃを形成している（図３、図５参照）。これらの切欠き部１３Ｃを設けたことにより、カフ帯２を人体の上腕Ａに装着する際に、板状部材１３が上腕Ａの断面形状に倣って容易に弾性変形できるようになっている。また、電磁開閉弁５で導管３を閉じているので、拍動の空気伝達も防止できる。
上述したように測定カフ８と加圧カフ７との境界部にはシール部Ｓを形成してあるので、カフ帯２を上腕Ａに装着して血圧を測定する時に加圧カフ７に対して動脈の上流から拍動が伝達されたとしても、上記境界部であるシール部Ｓが存在することで加圧カフ７から測定カフ８への拍動による振動が伝達されるのを阻止できるようになっている。
また、上記板状部材１３の両方のリブ１３Ａを両カフ７，８の境界部となるシール部Ｓに上方から当接させてあるので、シール部Ｓはリブ１３Ａによって動脈に向けて加圧されるようになっている。
【００１３】
さらに、本実施例においては、測定カフ８によって押圧した上腕Ａの測定部位への加圧力分布を一様にするため、上記本体部１１における上記板状部材１３上に上記補助部１６を設けている。この補助部１６は、シール部Ｓにおける加圧力を、カフ帯２による圧力分布が一様になるように形成した上記補助カフ９と、この補助カフ９の形状と寸法に合わせて形成した平板状の板状部材１５とから構成している。この板状部材１５もカフ帯２を上腕Ａに装着する際に取り扱いを容易にするために設けている。
上記補助カフ９は塩ビシートまたはポリウレタンによって密封した袋状に形成してあり、その上方部に導入口２６を設けてあり、この導入口２６に上記第３分岐管２５の端部を接続している（図２、図３、図６参照）。そのため、上述したようにポンプ４が作動された際には、導管３、第３分岐管２５を介して空気が補助カフ９にも導入されて、該補助カフ９および上記加圧カフ７を同じ空気圧で膨張させるようになっている。また、その際の補助カフ９内の空気圧は圧力センサ２２によって検出されて制御装置６の信号増幅器６Ｂに入力されるようになっている。そして、制御装置６によって定速排気弁２３が作動されると補助カフ９内の空気圧は定速で排気されるとともに、制御装置６によって急速排気弁２４が開放されると、補助カフ９内の空気は急速に排気されるようになっている。
なお、本実施例においては、両分岐管１９，２５を介して加圧カフ７と補助カフ９が相互に連通するようにしているが、上記第３分岐管２５を省略するとともに本体部１１における加圧カフ７と補助カフ９とを連通させる連通路を設けて、加圧カフ７と補助カフ９に空気を供給しても良い。
本実施例の制御装置６は、上述した表示部６Ａ、演算部６Ｄ、Ａ／Ｄ変換器６Ｃ、信号増幅器６Ｂ、排気弁制御部６Ｅの他に、ポンプ４の作動を制御するポンプ制御部６Ｆおよび上記電磁開閉弁５の作動を制御する電磁弁制御部６Ｇとから構成されている。
【００１４】
以上のように構成した本実施例の血圧測定装置１を用いて、人の血圧を測定する場合の作業手順を説明する。
先ず、測定開始前の状態においては、電磁開閉弁５を開放させてあり、各排気弁２１、２３、２４は開放され、さらにポンプ４の作動は停止させている。この状態において膨張させる前のカフ帯２を上腕Ａまたは下肢（足首）に巻き付けて装着する。その際には、カフ帯２の長手方向が上腕Ａ又は下肢の動脈の血液流通方向に対して直交し、かつ空間部１１Ａが上流側に位置するようにカフ帯２を上腕Ａまたは下肢に装着する。そして、制御装置６に設けた図示しない測定開始スイッチを入れる（図７のＳ１参照）。
すると、まず各排気弁２１、２３、２４が閉鎖され、制御装置６のポンプ制御部６Ｆはポンプ４を駆動させるので、導管３と各分岐管１８，１９，２５を介してカフ帯２の加圧カフ７、測定カフ８および補助カフ９内に空気が給送されて、各カフ７〜９が膨張する（図１、図２、図７のＳ２参照）。
【００１５】
これに伴い測定カフ８内の空気圧は圧力センサ１０によって検出されて制御装置６の信号増幅器６Ｂに入力されるとともに、加圧カフ７および補助カフ９内の空気圧は圧力センサ２２によって検出されて制御装置６の信号増幅器６Ｂに入力される。
制御装置６は、両圧力センサ１０、２２から入力される空気圧が予め設定した所定の空気圧（測定対象となる人の最高血圧以上の空気圧）まで上昇したことを確認すると、電磁弁制御部６Ｇによって電磁開閉弁５を閉鎖させるとともにポンプ制御部６Ｆによってポンプ４の作動を停止させる（図７のＳ３，Ｓ４）。
このようにカフ帯２の各カフ７〜９が所定空気圧まで昇圧されて膨張することにより、上腕Ａまたは下肢の動脈が加圧カフ７、測定カフ８によって圧迫されて閉塞される（阻血される）。
この時、補助カフ９も膨張されているので、膨張した補助カフ９によって板状部材１３は動脈に向けて付勢されることになる。これにより、板状部材１３の一対のリブ１３Ａが、測定カフ８と加圧カフ７との境界であるシール部Ｓを動脈に向けて押し付けるようになっている。
本実施例においては、両カフ７，８の境界部にシール部Ｓを設けているので、加圧カフ７に対して上流側から動脈の拍動が伝達されたとしても、加圧カフ７から測定カフ８に対しては拍動が伝達されないようになっている。また、板状部材１３の両方のリブ１３Ａが境界部であるシール部Ｓを加圧し、さらに測定カフ８は板状部材１３によって覆われ、かつ補助カフ９によって押圧されている。そのため、カフ帯２によって押圧されている上腕Ａの測定部分における圧力分布を一様にすることができる。
【００１６】
この後、制御装置６の排気弁制御部６Ｅは、定速排気弁２１、２３を作動させて例えば所定の定速（２〜３ｍｍHg／S）で各カフ７〜９から同時に空気を排出させる（図７のＳ５）。
これにより、カフ帯２の各カフ７〜９内の空気圧が徐々に低下し、それに伴って、それまで両カフ７，８によって閉塞されていた動脈が血圧によって開放されて該動脈内を血液が流通し始める。
そして、測定カフ８の空気圧は圧力センサ１０によって常に検出されて制御装置６の信号増幅器６Ｂへ入力されており、また、他方の圧力センサ２２によって検出された両カフ７、９内の空気圧も制御装置６の信号増幅器６Ｂへ入力されている。
ここで、阻血されていた動脈内を血液が流通し始めた際には圧力センサ１０からの脈波振幅が急激に上昇し、制御装置６の演算部６Ｄはその時の血圧を最高血圧として認識する（図７のＳ６）。
【００１７】
さらに、継続して各カフ７〜９の排気が続いている際に圧力センサ１０によって検出した測定カフ８の脈波振幅が最大となるところがあり、演算部６Ｄはその時点での血圧を平均血圧として認識する。
さらに継続して各カフ７〜９の排気が継続されることに伴って圧力センサ１０による脈波振幅が急激に小さくなるので、その時の血圧を演算部６Ｄは最低血圧として認識する。
そして、上記制御装置６の演算部６Ｄが、上述のようにして認識した最高血圧、平均血圧および最低血圧を認識したら、制御装置６の電磁弁制御部６Ｇは電磁開閉弁５を開放させるとともに、排気弁制御部６Ｅは急速排気弁２４を開放させる（図７のＳ８、Ｓ９）。これにより、各カフ７〜９内の空気は急速排気弁２４を介して迅速に排気される。
このあと、制御装置６の演算部６Ｄは、最高血圧、平均血圧、最低血圧を表示部６Ａに表示する（図７のＳ１０）。また、制御装置６の排気弁制御部６Ｅは、両排気弁２１、２３を開放させるとともに、急速排気弁２４は開放状態を維持する。
このようにして表示部６Ａに最高血圧、平均血圧および最低血圧が表示されたら、上腕Ａまたは下肢から収縮状態のカフ帯２を取り外して血圧の測定作業が完了する。
なお、測定開始時に電磁開閉弁５を閉鎖し、所定時間（例えば３秒程度）空気を供給した後、電磁開閉弁５を開放することにより、測定カフ８の圧力増加を遅らせることもできる。
本実施例においては電磁開閉弁５で遮断された２つのカフ７、８が定速排気弁２１，２３により同一の減圧を行う様に制御しているので、正確な血圧測定が行える。
【００１８】
なお、上述した作動説明は、血圧測定装置１によって血圧を測定する場合の説明であるが、本実施例の血圧測定装置１を用いて上腕または下肢の動脈の脈波を測定することもできる。
つまり、この場合には、上記図７に示した血圧を測定する場合において、図７のＳ７の後の処理を次のように行う。すなわち、図８に示すように、上述した血圧測定後、電磁開閉弁５を閉じたまま急速排気を行い（図８のＳ８）、測定カフ８は例えば５０ｍｍＨｇ程度の所定圧力まで定速排気弁２１により定速排気を行う。そして、上記所定圧力まで測定カフ８の圧力が低下したら、定速排気弁２１を閉鎖する（図８のＳ９、Ｓ１０）。これによって、測定カフ８の圧力を所定圧に維持する。
そして、この状態において圧力センサ１０を介して所定時間だけ測定カフ８によって加圧した測定箇所の動脈の脈波を測定する（図８のＳ１１）。この後、電磁開閉弁５と定速排気弁２１を開放させて、脈波の測定を終了する（図８のＳ１２、Ｓ１３）。
【００１９】
上述した本実施例においては、両空間部１１Ａ，１１Ｂからなる加圧カフ７によって測定カフ８を血液の流通方向の上流側及び下流側から挟み込むように配置してあり、さらに両カフ７，８の境界部分にシール部Ｓを設けている。しかも、血圧の測定の際に各カフ７〜９が膨張された状態において、板状部材１３とそのリブ１３Ａによってシール部Ｓを動脈に向けて押圧するようにしている。
そのため、加圧カフ７に対して動脈の上流側から拍動が伝達されたとしても、上記シール部Ｓおよび板状部材１３のリブ１３Ａが存在することで、加圧カフ７から測定カフ８へ拍動が伝達されないようになっている。
したがって、本実施例においては、カフ帯２を下肢に装着して各カフ７〜９を膨張させた際に、拍動が測定カフ８に伝達されるのを防止して、正確な血圧測定が可能である。また、本実施例においては、測定カフ８によって押圧される上腕Ａまたは下肢の測定箇所は略全域にわたって圧力分布が一様化されているので、確実に阻血でき、正確な血圧測定が可能である。
さらに、上述した実施例の血圧測定装置１のカフ帯２を同一人の上腕Ａと足首のそれぞれに装着して脈波の測定を正確に行うことにより、上肢と下肢の脈波の立ち上がり時点を比較することで、上肢或いは下肢のいずれかの動脈に狭窄があるか否かを容易に判定することができる。このような使用方法によれば、患者の動脈の狭窄がどの程度進行しているかを容易に判定することが可能である。
【００２０】
さらに、本願の発明者が研究したところ、上記本実施例の血圧測定装置１を前提として、電磁開閉弁５を測定カフ８から約１０ｃｍの距離以内に第１分岐管１８に設けると、脈波の周波数特性を１００Ｈｚまで安定した減衰率となることが判明した。
そこで、図９に示すように、本発明の第２実施例として、測定カフ８から約１０ｃｍ以内だけ離れた第１分岐管１８に電磁開閉弁５を設けてあり、しかも該電磁開閉弁５とそれから測定カフ８に至るまでの第１分岐管１８ならびに圧力センサ１０をカフ帯２の本体部１１に一体的に連結するようにしている。これにより、脈波の安定した減衰率を得ることが可能となり、しかも導管３の配置が簡素化されてカフ帯２の取り回しが容易になる。
さらに、図１０は上記第２実施例と関連する本発明の第３実施例を示したものである。この第３実施例においては、電磁開閉弁５および圧力センサ１０は本体部１１から分離させたものである。ただ、この実施例においても、電磁開閉弁５および圧力センサ１０は本体部１１の測定カフ８から１０ｃｍ以内の距離となるように導管やケーブルの長さを調整している。その他の構成は第２実施例と同じである。このような第３実施例においても、上記第２実施例と同様の作用・効果を得ることができる。
なお、上述した実施例においては、電磁開閉弁５を開放してポンプ４を作動させることにより、各カフ７〜９を一斉に膨張させるようにしているが、ポンプ４を作動させてから少し遅れて電磁開閉弁５を開放させるようにしても良い。それによって、加圧カフ７と補助カフ９が先に膨張され、その後に少し遅れて測定カフ８が膨張されるようになる。
【図面の簡単な説明】
【００２１】
【図１】本発明の一実施例を示す概略の構成図。
【図２】図１のＩＩ―ＩＩ線に沿う要部の断面図。
【図３】図１に示したカフ帯の構成部材を示した斜視図。
【図４】図３に示した本体部１１の内部空間の構成を示した図。
【図５】図３に示し板状部材１３の要部の正面図。
【図６】図３に示した補助カフ９の内部空間の構成を示した図。
【図７】図１に示した血圧測定装置１によって血圧を測定する際の処理工程を示す図。
【図８】図１に示した血圧測定装置１によって脈波を測定する場合の後半の処理工程図。
【図９】本発明の他の実施例を示すカフ帯の概略の斜視図。
【図１０】本発明の他の実施例を示すカフ帯の概略の斜視図。
【符号の説明】
【００２２】
１…血圧測定装置                    ２…カフ帯
７…加圧カフ                        ８…測定カフ
９…補助カフ                        １０…圧力センサ
１３…板状部材                      １３Ａ…リブ  
Ｓ…シール部（境界部）
【図１】
2006334153.tif 000003
【図２】
2006334153.tif 000004
【図３】
2006334153.tif 000005
【図４】
2006334153.tif 000006
【図５】
2006334153.tif 000007
【図６】
2006334153.tif 000008
【図７】
2006334153.tif 000009
【図８】
2006334153.tif 000010
【図９】
2006334153.tif 000011
【図１０】
2006334153.tif 000012